(57)【要約】【課題】現在、平かな字母を用いたパーソナルコンピュータの入力方式としては、富士通のいわゆる親指シフト方式がもっとも高性能であるとされており、さらにこれを五十音図に対応するように改良した方式もある。【解決手段】本発明は、現行の親指シフト方式の富士通方式を五十音図に対応させた新しい入力方式をさらに改良純化させるとともに、人間の手指の構造と動きに全面的に対応する入力方式を開発した。【選択図】図１
2019106156.tif 000002
【特許請求の範囲】
【請求項１】
平かな字母によって入力する３行１０列の字母入力鍵盤を用いるパーソナルコンピュータの和文入力方式において、１回の打鍵によって直接に字母が入力される基本的鍵盤と、別に備えたシフト鍵の打鍵によって呼び出される二次的鍵盤を使用する入力方式において、基本的鍵盤に、あ行、か行、さ行、た行、な行の各字母を設定した入力方式において、残された１行５列に、その字母が出現する頻度とその五十音図上の位置の鍵盤形態との対応性を基準として重要と判断される「ん」「っ」「を」の３個の字母と句点「。」と読点「、」を設定したパーソナルコンピュータの入力方式。
【発明の詳細な説明】
【技術分野】
【０００１】本発明は、パーソナルコンピュータの日本語入力方式に関するものである。
【背景技術】
【０００２】本発明の中心的課題は、３行１０列の鍵盤において、入力方式と日本語の音韻構成ならびに音韻体系との肯定的対応関係を全面的に確立するパーソナルコンピュータの日本語入力方式を確立する点にある。【０００３】一般的に言って、日本語の音韻構成あるいは音韻体系を反映するパーソナルコンピュータの入力方式としては、日本語の音韻体系を反映するＮＥＣの森田方式および日本語の音韻構成を反映するＪＩＳひらがな方式、富士通の親指シフト方式がある。【０００４】周知のように、現在パーソナルコンピュータの和文入力方式として最速を誇っているのは富士通の親指シフト方式である。【０００５】しかしながら、この方式は旧式の人間工学に基づいて設計された結果、そのヒューマンインタフェイスは良好とは言いがたく、現在では、業務用にしか用いられていない。【０００６】この方式の基本的長所は、平かな字母をそのまま１打鍵で入力する第一部分すなわち基本鍵盤、五十音中この第一部分すなわち基本鍵盤に入らなかった部分を親指シフト鍵との協同によって入力する第二部分すなわち継続鍵盤、濁音と半濁音を別の親指シフト鍵との協同によって入力する第三部分すなわち継続鍵盤、という３個の鍵盤を用いる点にある。【０００７】このような基本的長所は、しかしながら各鍵盤への字母の分属と鍵盤内の配置がいずれもまったく日本語音韻構造の基本である五十音図を無視していることによって大きく損なわれている。【０００８】この現行富士通方式の短所を改良し日本語音韻構造の基本である五十音図に全面的に対応した入力方式を提示したのが、特願２０１６−１１８３４７すなわち特許６０３２５８３号である。【０００９】この特許６０３２５８３号の和文入力の特徴は、和文においては、五十音図の前半のあ行、か行、さ行、た行、な行、の５行に属する字母が相対的に出現頻度が高いことに注目して、これらの５行５列２５個の字母を、３行１０列の鍵盤において平かな字母をそのまま１打鍵で入力する第一部分すなわち基本鍵盤に設定するとともに、残された１行５列に、は行の字母を設定せず、残された字母の中から出現頻度の高い、は、が、ん、っ、を、の５個の字母を設定し、五十音中この第一部分すなわち基本鍵盤に入らなかった部分を、親指シフト鍵との協同によって入力する第二部分すなわち継続鍵盤として、は行、ま行、や行（小型のゃ、ゅ、ょを含む）、ら行の字母と各記号を設定し、さらに濁音と半濁音を別の親指シフト鍵との協同によって入力する第三部分すなわち継続鍵盤を設定し、このいずれも五十音図に基本的には対応する３個の鍵盤を用いてすべての和文字母を入力する点にある。【００１０】特許６０３２５８３号によって、五十音図に対応しながらさらに１打鍵で入力できる字母が大幅に増えて、現行富士通方式のヒューマンインタフェイスは大きく改善された。【００１１】しかしながら、この方式にも残された課題がある。【００１２】上記の発明は、１打鍵で入力が行われる基本鍵盤に、は、が、ん、っ、を、の５個の字母を設定している。【００１３】この５個の字母のうち、ん、っ、を、の３個の字母は、全鍵盤中でこの部分にしか設定されていないが、は、が、の２字母は、親指シフト鍵と協同して２打鍵で呼び出される鍵盤にもその入力が設定されている。【００１４】この場合、もし入力者が、１打鍵で入力が行われる基本鍵盤に置かれた、は、が、の字母によってその入力を行う場合には、その他の２打鍵で入力が行われる鍵盤においては、ひ、ふ、へ、ほ、の４字母と、ぎ、ぐ、げ、ご、の４字母のみが入力対象となり、入力者の意識において、１行５字母のスタンダードとのあいだに摩擦が起こるとともに、これらの行における字母は、と字母が、の位置が空位になって鍵盤構成の効率が低下する。【００１５】もし、逆に基本鍵盤ではない鍵盤に設定された字母「は」と字母「が」の鍵によって、これらの字母が入力される場合には、基本鍵盤に置かれた字母「は」と字母「が」の入力をを担当する鍵は無意味になる。
【先行技術文献】
【特許文献】
【００１６】
【特許文献１】特願昭５３−３６４５５
【特許文献２】特願昭５８−７２４９２
【特許文献３】特願昭７２４９３
【特許文献４】特願昭６１−２３５８８６
【特許文献５】特願昭６２−１８２２９６
【特許文献６】特願平２−６１５６５
【特許文献７】特願平４−１７５９０
【特許文献８】特願平４−１３００４６
【特許文献９】特願平４−２５２７３３
【特許文献１０】特願２０１６−１１８３４７
【発明の概要】
【発明が解決しようとする課題】
【００１７】本発明の課題は、これまで平かな字母での日本語入力の方式として、もっとも優れていると判断される富士通の親指シフト方式ならびのその進化型としての特願２０１６−１１８３４７すなわち特許６０３２５８３号の長所を踏まえたうえで、さらに改良を加えるという点にある。【００１８】そこで、特許６０３２５８３号の長所であるところの、基本鍵盤に、１行の特別な枠を作り、そこに、あ、か、さ、た、な、の５行に属さず、しかも和文において出現率の高い字母の入力を設定する特徴を生かし、さらに発展させる道を探ることにする。
【問題を解決するための手段】
【００１９】そこで、あらためてこの特許６０３２５８３号において、この基本鍵盤に設定された１行に属する字母の性格を考えると、字母「ん」と字母「っ」は、５段１０行から構成された狭義の五十音図中にまったく姿を見せず、字母「を」は、一般的には１行５列すなわち文法用語では１行５段で構成される五十音図の諸字母のなかで、「わ」と「を」の２字母だけで構成される特異な存在であることに気付く。
【００２０】したがって、この「わ」と「を」の２字母のうちの１字母である「を」を別の場所に移しても、１行５段の音韻構成に対する影響は大きくない。
【００２１】言い換えれば、この１行に、「ん」「っ」「を」の３字母を置くことは、鍵盤構成全体の基本原則である１行５段の字母配列の尊重という秩序を乱さ無のである。
【００２２】そこで、この行の残された２枠には、これらの「ん」、「っ」、「を」、とよく似た性格の五十音図の基本的構成と疎遠な字母をに置くのが望ましいという結論に達するが、実際には、このような要請に対応できる字母は存在しない。
【００２３】しかし、和文を書写するときには、字母以外に句読点が必要である。
【００２４】句読点は、五十音図の外の存在であるから、もし和文中の句読点の出現率が高ければ、句読点の入力を問題の１行に設定すれば、特許６０３２５８３号の長所を生かし、さらに発展させることができる。
【００２５】前記特許６０３２５８３号は、和文中の各字母の出現率を推定するサンプルとして、朝日新聞の、２０１６年４月２１日から３０日までの天声人語、４月２１にちから２３日までの社説、および同年４月２５日から５月１日までの夕刊の歌手イルカの探訪記事、総合計２１６９８字を使用している。
【００２６】いま、このデータによって見ると、総合計２１６９８字中、字母「は」は５３９回、字母「が」は５２９回、合計すれば１０６８回出現している。
【００２７】これに対して、同じ資料を使用して句点「。」と読点「、」の出現回数を検索すれば、前者は５６６回、後者は４６８回、合計１０３４回出現しており、字母「は」と字母「が」の出現率と大差はない。
【００２８】そこで、本発明においては、前記特許６０３２５８３号の基本鍵盤に設定された字母「は」と字母「が」を取消し、代わりに句点「。」と読点「、」を設定することにする。
【００２９】このように設定すると、前記特許６０３２５８３号では、継続鍵盤に設定されていた句読点の入力が省けるので、あらためて２ヵ所の空白ができるが、本発明では、この２か所に、疑問符「？」と、感嘆符「！」とを、設定することにする。
【００３０】前記特許６０３２５８３号には、今一つの問題点がある。
【００３１】前記特許６０３２５８３号においては、すべての字母を基本的に左から右へ、五十音図の配列に従って並べている。
【００３２】この方式においては、初心者の鍵盤へのアプローチは容易になるが、入力行為への整序性という観点からは、一定の問題が残されている。
【００３３】すなわち、この方式においては、たとえば、左手の受け持つあ行の中の、あ段の入力は小指が、い段の入力は薬指が、う段の入力は中指が、え段とお段の入力は人差し指が担当することになるが、右手の受け持つた行の中の、あ段とい段の入力は人差指が、う段の入力は中指が、え段の入力は薬指が、お段の入力は小指が担当することになって、右手と左手の指の機能の割り当てが五十音図に対応しない。
【００３４】さらに、この方式においては、前記のデータを用いて計算すれば、鍵盤の左側の左手の担当部分の字母が合計１１８０２１個、鍵盤の右側の右手の担当部分の字母が合計９８７７個となって、左手の担当字母の方が右手の担当字母より多い。
【００３５】そこで、本発明においては、１打鍵で呼び出される基本鍵盤の右半分に、あ行、か行、さ行の各鍵を、それぞれ、左から右に、あ段、い段、う段、え段、お段、の順に配置し、基本鍵盤の左半分に、た行、な行の各鍵を、それぞれ、右から左に、あ段、い段、う段、え段、お段、の順に配置し、残された１行に、「ん」「っ」「を」の各字母と、読点「、」と句点「。」の２符号を、順に左から右に配列する。
【００３６】同様に、継続鍵盤には、右半分に、は行、ま行、の各鍵を、それぞれ、左から右に、あ段、い段、う段、え段、お段、の順に配置し、残された１行に、同じく左から右にかけて、や、ゆ、よ、わ、の各字母と疑問符？を配置し、継続鍵盤の左半分の第１行に、ゃ、ゅ、ょの各字母と長音記号、中黒記号を、順に右から左にかけて配置し、第２行にら行の各鍵を、それぞれ、右から左に、あ段、い段、う段、え段、お段、の順に配置し、第３行に、「」」、「「」、「）」，「（），感嘆符「！」、の各符号を、順に右から左にかけて配置する。
【００３７】最後に、濁音、半濁音鍵盤には、鍵盤の右半分に、ぁ行、が行、ざ行の各鍵を、それぞれ、左から右に、あ段、い段、う段、え段、お段、の順に配置し、鍵盤の左半分に、だ行、ば行、ぱ行の各鍵を、それぞれ、右から左に、あ段、い段、う段、え段、お段、の順に配置する。
【発明の効果】
【００３８】以上のように、３行１０列の鍵盤に、五十音図に全面的に対応する形で平かな字母と句読点等の符号を配置し、さらにこの配置を左右対称の人間の手指の状況に全面的に対応する形で配列することによって、パーソナルコンピュータの鍵盤構成のヒューマンインタフェイスを大きく改善する。
【図面の簡単な説明】
【００３９】
【図１】は、本発明の鍵盤の字母配置を示す示意図である。
【図２】は、特許６０３２５８３号の鍵盤の字母配置を示す示意図である。
【発明を実施するための形態】
【００４０】パーソナルコンピュータ。
【産業上の利用可能性】
【００４１】本発明は、パーソナルコンピュータの和文入力において、日本語の五十音図体系による字母と記号の入力方式をいっそう合理化して、そのヒューマンインタフェイスを大きく改良したものとして、携帯電話の和文入力方式とおなじような独占的地位を勝ち取る可能性を持っている。
【図１】
2019106156.tif 000003
【図２】
2019106156.tif 000004